(57)【要約】【課題】本発明は上記した従来技術の問題点に鑑みてなされたものであって、その目的は、周波数帯域を選択するスイッチング回路及び方法を提供することにある。【解決手段】本発明は、スイッチング回路であって、ｎ個の表面弾性波(Surface Acoustic Wave：ＳＡＷ)フィルタと、前記ｎ個のＳＡＷフィルタそれぞれの入力ポートに接続するＳＰｎＴ(single-pole n throw)スイッチと、前記ｎ個のＳＡＷフィルタそれぞれの出力ポートに接続するＤＰｎＴ(dual-pole n throw)スイッチと、を含むことを特徴とする。【選択図】図３
2014050098.tif 000002
【特許請求の範囲】
【請求項１】
周波数帯域を選択するスイッチング回路であって、
ｎ個の表面弾性波(Surface Acoustic Wave：ＳＡＷ)フィルタと、
前記ｎ個のＳＡＷフィルタそれぞれの入力ポートに接続するＳＰｎＴ(single-pole n throw)スイッチと、
前記ｎ個のＳＡＷフィルタそれぞれの出力ポートに接続するＤＰｎＴ(dual-pole n throw)スイッチと、を含むことを特徴とするスイッチング回路。
【発明の詳細な説明】
【技術分野】
【０００１】
本発明は、周波数帯域を選択する装置及び方法に関するものである。
【背景技術】
【０００２】
無線通信システムは、移動端末(ＭＳ)に多様な高速大容量サービスを提供するように発展してきており、その代表的な例としては、ＬＴＥ(Long-Term Evolution)移動通信システム、ＬＴＥ-Ａ(Long-Term Evolution Advanced)移動通信システム、進化したパケットシステム(Evolved Packet System：ＥＰＳ）、及びＩＥＥＥ(Institute of Electrical and Electronics Engineers)８０２.１６ｍ通信システムなどがある。
【０００３】
上記のように無線通信システムが発展するに従って、ＭＳも高速大容量サービスを受信するように発展し、特に多様な周波数帯域を通じてサービスを受信する発展している。
【０００４】
図１は、一般的な無線通信システムにおけるＭＳの内部構成を概略的に示す。
図１を参照すると、ＭＳは、アンテナ(ＡＮＴ)とフロントエンドモジュール(Front End Module：ＦＥＭ)１００を含む。
【０００５】
ＦＥＭ１００は、スイッチ、例えばＳＰ７Ｔ(Single-Pole 7 Throw)スイッチ１１１と、複数のフィルタ、例えば７個の表面弾性波(Surface  Acoustic  Wave：ＳＡＷ)フィルタ、すなわちＳＡＷフィルタ＃１  １１３、ＳＡＷフィルタ＃２  １１５、ＳＡＷフィルタ＃３  １１７、ＳＡＷフィルタ＃４  １１９、ＳＡＷフィルタ＃５  １２１、ＳＡＷフィルタ＃６  １２３、及びＳＡＷフィルタ＃７  １２５を含む。
【０００６】
ＳＡＷフィルタ＃１  １１３〜ＳＡＷフィルタ＃７  １２５の各々は、送信妨害遮断(TX  jammer  rejection)のために使用され、予め定められている周波数帯域に対応するフィルタリング動作を遂行する。また、ＳＡＷフィルタ＃１  １１３〜ＳＡＷフィルタ＃７  １２５は、当該周波数帯域別に無線周波数集積回路(Radio  Frequency  Integrated  Circuit：ＲＦＩＣ)(図１に図示せず)に接続される経路(path)を有する。
【０００７】
一方、上記に説明したように、ＭＳが多様な周波数帯域を通じてサービスを受信するために、ＳＡＷフィルタ＃１  １１３〜ＳＡＷフィルタ＃７  １２５の出力信号を統合しなければならない場合があり得る。また、この場合以外にも、ＭＳの生産コストを減少させつつ、ハードウェア実装空間を最小化するために、ＳＡＷフィルタ＃１  １１３〜ＳＡＷフィルタ＃７  １２５の出力信号を統合しなければならない場合があり得る。すなわち、ＳＡＷフィルタ＃１  １１３〜ＳＡＷフィルタ＃７  １２５の出力信号の統合が可能である場合、ＳＡＷフィルタ＃１  １１３〜ＳＡＷフィルタ＃７  １２５は、各々経路なしにＲＦＩＣと１対１で接続することで、ＭＳの生産コストを低減させ、かつハードウェアの実装空間を最小化することができる。
【０００８】
しかしながら、現在まで提案されているＦＥＭは、ＳＡＷフィルタの出力信号を統合することが不可能な構成を有し、それによって、ＳＡＷフィルタの出力信号を統合する方法に対する必要性が増加している。
【発明の概要】
【発明が解決しようとする課題】
【０００９】
したがって、本発明は上記した従来技術の問題点に鑑みてなされたものであって、その目的は、周波数帯域を選択するスイッチング回路及び方法を提供することにある。
【００１０】
本発明の他の目的は、周波数帯域を選択する無線周波数(ＲＦ)ハードウェア及び方法を提供することにある。
【００１１】
また、本発明の目的は、周波数帯域を選択するＦＥＭ及び方法を提供することにある。
【００１２】
さらに、本発明の目的は、周波数帯域を選択する信号受信装置及び方法を提供することにある。
【００１３】
本発明の目的は、フィルタの出力信号を統合して周波数帯域を選択するスイッチング回路/ＲＦハードウェア/ＦＥＭ/信号受信装置及び方法を提供することにある。
【００１４】
また、本発明の目的は、臨界周波数帯域減衰要求値(threshold  frequency  band  attenuation  value)を満足するようにフィルタの出力信号を統合して周波数帯域を選択するスイッチング回路/ＲＦハードウェア/ＦＥＭ/信号受信装置及び方法を提供することにある。
【００１５】
さらに、本発明の目的は、臨界アイソレーション要求値(threshold  isolation  value)を満足するようにフィルタの出力信号を統合して周波数帯域を選択するスイッチング回路/ＲＦハードウェア/ＦＥＭ/信号受信装置及び方法を提供することにある。
【課題を解決するための手段】
【００１６】
上記のような目的を達成するために、本発明の実施形態の一態様によれば、周波数帯域を選択するスイッチング回路を提供する。上記スイッチング回路は、ｎ個の表面弾性波(Surface Acoustic Wave：ＳＡＷ)フィルタと、上記ｎ個のＳＡＷフィルタそれぞれの入力ポートに接続するＳＰｎＴ(single-pole n throw)スイッチと、上記ｎ個のＳＡＷフィルタそれぞれの出力ポートに接続するＤＰｎＴ(dual-pole n throw)スイッチと、を含むことを特徴とする。
【発明の効果】
【００１７】
本発明は、信号受信装置のＦＥＭでＳＡＷフィルタの出力信号を統合することができる。
【００１８】
また、本発明は、信号受信装置のＦＥＭで臨界周波数帯域減衰要求値を満たすようにＳＡＷフィルタの出力信号を統合することができる。
【００１９】
本発明は、信号受信装置のＦＥＭで臨界アイソレーション要求値を満たすようにＳＡＷフィルタの出力信号を統合することもできる。
【００２０】
さらに、本発明は、信号受信装置のＦＥＭでＳＡＷフィルタの出力信号を統合することによってＳＡＷフィルタが一対一でＲＦＩＣに接続される経路を必要としないことで、信号受信装置の生産コストを減少させることができる。
【００２１】
また、本発明は、信号受信装置のＦＥＭでＳＡＷフィルタの出力信号を統合することによってＳＡＷフィルタが一対一でＲＦＩＣに接続される経路を必要としないことで、信号受信装置のハードウェア実装空間を最小化することができる。
【図面の簡単な説明】
【００２２】
【図１】従来の無線通信システムにおけるＭＳの内部構成を概略的に示す図である。
【図２】本発明の実施形態による無線通信システムにおける信号受信装置の内部構成を概略的に示す図である。
【図３】図２のＦＥＭ２１５の内部構成の一例を示す図である。
【図４】図２のＦＥＭ２１５の内部構成の他の例を示す図である。
【図５】図２のＦＥＭ２１５の内部構成のもう一つの例を示す図である。
【図６】図２のＦＥＭ２１５の内部構成のもう一つの例を示す図である。
【図７】図２のＦＥＭ２１５の内部構成のもう一つの例を示す図である。
【図８】図２のＦＥＭ２１５の内部構成のもう一つの例を示す図である。
【図９】図２の制御器２１７の動作手順を概略的に示すフローチャートである。
【図１０】図２のＦＥＭ２１５の動作手順を概略的に示すフローチャートである。
【発明を実施するための形態】
【００２３】
以下、本発明の望ましい実施形態を添付の図面を参照して詳細に説明する。
次の説明において、具体的な構成及び構成要素のような特定詳細は、ただ本発明の実施形態の全般的な理解を助けるために提供されるだけである。したがって、本発明の範囲及び趣旨を逸脱することなく、以下に説明される本発明の様々な変形及び変更が可能であることは、当該技術分野における通常の知識を持つ者には明らかである。なお、公知の機能または構成に関する具体的な説明は、明瞭性と簡潔性のために省略する。
【００２４】
本発明は、周波数帯域を選択するスイッチング回路及び方法を提案する。
【００２５】
また、本発明は、周波数帯域を選択する無線周波数(ＲＦ)ハードウェア及び方法を提案する。
【００２６】
本発明は、周波数帯域を選択するフロントエンドモジュール(ＦＥＭ)及び方法を提案する。
【００２７】
また、本発明は、周波数帯域を選択する信号受信装置及び方法を提案する。
【００２８】
さらに、本発明は、フィルタの出力信号を統合して周波数帯域を選択するスイッチング回路/ＲＦハードウェア/ＦＥＭ/信号受信装置及び方法を提案する。
【００２９】
なお、本発明は、臨界周波数帯域減衰要求値を満たすようにフィルタの出力信号を統合して周波数帯域を選択するスイッチング回路/ＲＦハードウェア/ＦＥＭ/信号受信装置及び方法を提案する。
【００３０】
加えて、本発明は、臨界アイソレーション要求値を満たすようにフィルタの出力信号を統合して周波数帯域を選択するスイッチング回路/ＲＦハードウェア/ＦＥＭ/受信装置及び方法を提案する。
【００３１】
以下、本発明の実施形態において、ＦＥＭを一例として周波数帯域を選択する動作について説明する。しかしながら、ＦＥＭだけでなくスイッチング回路、ＲＦハードウェア、及び信号受信装置は、このＦＥＭと同一の方式で周波数帯域を選択できることはもちろんである。
【００３２】
本発明の実施形態は、フィルタ、例えば表面弾性波(Surface  Acoustic  Wave：ＳＡＷ)フィルタを参照して次に説明する。しかしながら、本発明による周波数帯域選択動作は、上記ＳＡＷフィルタだけでなく他のフィルタを使用しても遂行されることは、当該技術分野における通常の知識を有する者には明らかである。
【００３３】
さらに、本発明の実施形態において、ＦＥＭ、スイッチング回路、及びＲＦハードウェアの各々に対する周波数帯域選択動作は、信号受信装置に基づいて説明することにする。しかしながら、ＦＥＭ、スイッチング回路、及びＲＦハードウェアの各々に対する周波数帯域選択動作が信号送信装置にも適用されることは、もちろんである。
【００３４】
本発明の実施形態は、無線通信システム、例えばＬＴＥ(Long-Term  Evolution)移動通信システムを参照して説明する。しかしながら、本発明で提案する信号受信装置及びその制御方法は、ＬＴＥ移動通信システムだけでなく、ＬＴＥ-Ａ(Long-Term  Evolution  Advanced)移動通信システムと、進化したパケットシステム(Evolved  Packet  System：ＥＰＳ)と、ＩＥＥＥ８０２.１６ｍ通信システムのような異なる無線通信システムでも使用可能である。加えて、本発明の実施形態において、信号受信装置は、例えば移動端末(ＭＳ)で実現できると仮定する。しかしながら、信号受信装置が実現されるエンティティ(entity)は限定されないことは、当該技術分野における通常の知識を持つ者には明らかなことである。
【００３５】
図２は、本発明の実施形態による無線通信システムにおける信号受信装置の内部構成を概略的に示す。
【００３６】
図２を参照すると、信号受信装置は、モデム(Modulator/Demodulator：ＭＯＤＥＭ)２１１、無線周波数集積回路(ＲＦＩＣ)２１３、ＦＥＭ２１５、制御器２１７、及びアンテナ(ＡＮＴ)を含む。
【００３７】
制御器２１７は、信号受信装置の全体的な動作を制御し、特にＦＥＭ２１５に含まれているＳＡＷフィルタからの出力信号を結合する動作を遂行するように制御する。すなわち、制御器２１７は、使用される周波数帯域に従ってＦＥＭ２１５に含まれているＳＡＷフィルタの出力信号を結合する動作を制御する。
【００３８】
モデム２１１は、制御器２１７の制御によって、信号送信装置に送信される信号をＱＰＳＫ(Qudrature  Phase  Shift  Keying)方式、１６ＱＡＭ(Qudrature  Amplitude  Modulation)方式、及び６４ＱＡＭ方式のような所定の変調方式を用いて変調した後にＲＦＩＣ２１３に出力する。また、モデム２１１は、制御器２１７の制御下に、信号送信装置から受信された信号を信号送信装置で使用される変調方式に対応する復調方式を用いて復調した後にＲＦＩＣ２１３に出力する。ここで、モデム２１１の変調及び復調動作について、その具体的な説明を省略する。
【００３９】
ＲＦＩＣ２１３は、制御器２１７の制御によって、モデム２１１から出力される信号をＲＦ信号に変換した後にＦＥＭ２１５に出力し、あるいはＦＥＭ２１５から出力される信号を基底帯域(baseband)信号に変換した後にモデム２１１に出力する。ＲＦＩＣ２１３のＲＦ信号及び基底帯域信号の変換動作について、その具体的な説明を省略する。
【００４０】
また、ＦＥＭ２１５は、制御器２１７の制御によって、ＲＦＩＣ２１３から出力される信号に対してフィルタリング動作を遂行した後にアンテナＡＮＴを通じて信号受信装置に送信したり、アンテナＡＮＴを通じて受信される信号に対してフィルタリング動作を遂行した後にＲＦＩＣ２１３に送信する。ＦＥＭ２１５は、多様なタイプ、例えばスイッチとＳＡＷフィルタを含むタイプと、スイッチ、コンバイナ、及びＳＡＷフィルタを含むタイプで実現することができる。ＦＥＭ２１５の多様な実現タイプに関して具体的に後述されるので、ここではその詳細な説明を省略する。
【００４１】
一方、モデム２１１、ＲＦＩＣ２１３、ＦＥＭ２１５、制御器２１７、及びアンテナＡＮＴが別途のユニットとして図２に示されているが、これは、ただ説明の便宜のために提供されるものである。言い換えれば、モデム２１１、ＲＦＩＣ２１３、ＦＥＭ２１５、制御器２１７、及びアンテナＡＮＴは、１個のハードウェアユニットで実現することができる。
【００４２】
図２に示すＦＥＭ２１５の内部構成は、図３乃至図８を参照して説明する。すなわち、図２のＦＥＭ２１５は、図３乃至図８に示される構成のうちいずれか一つで実現されることができる。
【００４３】
図３は、図２に示したＦＥＭ２１５の内部構成の一例を概略的に示す。
図３を参照すると、ＦＥＭ２１５は、ＳＰ８Ｔ(Single-Pole  8  Throw)スイッチ３１０と、８個のＳＡＷフィルタ、すなわちＳＡＷフィルタ３２０-１、ＳＡＷフィルタ３２０-２、ＳＡＷフィルタ３２０-３、ＳＡＷフィルタ３２０-４、ＳＡＷフィルタ３２０-５、ＳＡＷフィルタ３２０-６、ＳＡＷフィルタ３２０-７、及びＳＡＷフィルタ３２０-８と、ＤＰ１６Ｔ(Dual-Pole  16  Throw)スイッチ３３０とを含む。したがって、ＦＥＭ２１５の出力ポートは、１個である。また、各ＳＡＷフィルタの出力ポートに対応するインデックスは、該当ＳＡＷフィルタで使用される周波数帯域の周波数帯域インデックスを表し、周波数帯域インデックスに関する具体的な説明は省略する。
【００４４】
８個のＳＡＷフィルタから出力される信号を統合するために、信号受信装置で要求される臨界周波数帯域減衰要求値(threshold  frequency  band  attenuation  value)と臨界アイソレーション要求値(threshold  isolation  value)は、８個のＳＡＷフィルタから出力される信号が統合された後に満足されなければならない。本発明において、臨界周波数帯域減衰要求値と臨界アイソレーション要求値は、各々４０ｄＢであると仮定する。
【００４５】
一般的に、ＳＰｎＴスイッチのアイソレーションは、ＳＡＷフィルタから出力される信号が単純に統合される場合に減衰特性に影響を及ぼし、それによって、臨界周波数帯域減衰要求値と臨界アイソレーション要求値を満たすことが不可能になる。
【００４６】
そのため、臨界周波数帯域減衰要求値と臨界アイソレーション要求値を満たすために、ＳＰｎＴスイッチとＤＰｎＴスイッチがＳＡＷフィルタの前後に接続されるタイプで実現されるＦＥＭ構成は、図３に示されている。すなわち、ＳＡＷフィルタ３２０-１、ＳＡＷフィルタ３２０-２、ＳＡＷフィルタ３２０-３、ＳＡＷフィルタ３２０-４、ＳＡＷフィルタ３２０-５、ＳＡＷフィルタ３２０-６、ＳＡＷフィルタ３２０-７、及びＳＡＷフィルタ３２０-８は、各々ＳＰ８Ｔスイッチ３１０及びＤＰ１６Ｔスイッチ３３０に接続され、ＳＡＷフィルタ３２０-１、ＳＡＷフィルタ３２０-２、ＳＡＷフィルタ３２０-３、ＳＡＷフィルタ３２０-４、ＳＡＷフィルタ３２０-５、ＳＡＷフィルタ３２０-６、ＳＡＷフィルタ３２０-７、及びＳＡＷフィルタ３２０-８の出力信号は、各々ＤＰ１６Ｔスイッチ３３０を通じて信号受信装置での要求形態で統合される。ここで、上記要求形態は、制御器２１７の制御により決定される。
【００４７】
また、ＤＰ１６Ｔスイッチ３３０が使用される理由は、ＳＡＷフィルタ３２０-１、ＳＡＷフィルタ３２０-２、ＳＡＷフィルタ３２０-３、ＳＡＷフィルタ３２０-４、ＳＡＷフィルタ３２０-５、ＳＡＷフィルタ３２０-６、ＳＡＷフィルタ３２０-７、及びＳＡＷフィルタ３２０-８から出力される信号各々がバランス(balance)信号であるためである。一方、ＳＡＷフィルタ３２０-１、ＳＡＷフィルタ３２０-２、ＳＡＷフィルタ３２０-３、ＳＡＷフィルタ３２０-４、ＳＡＷフィルタ３２０-５、ＳＡＷフィルタ３２０-６、ＳＡＷフィルタ３２０-７、及びＳＡＷフィルタ３２０-８から出力される信号がシングル(single)信号である場合、ＤＰ１６Ｔスイッチ３３０は、ＳＰｎＴスイッチに変更することができ、これについて、図８を参照して具体的に後述するので、ここではその詳細な説明を省略する。
【００４８】
したがって、図３に示すようにＦＥＭ２１５を実現する場合、ＳＡＷフィルタの前後でアイソレーション特性を獲得できるため、臨界周波数帯域減衰要求値と臨界アイソレーション要求値を満足させる形態でＦＥＭ２１５を実現することが可能である。
【００４９】
図４は、図２に示すＦＥＭ２１５の内部構成の他の例を概略的に示す。
図４を参照すると、ＦＥＭ２１５は、ＳＰ８Ｔスイッチ４１０と、８個のＳＡＷフィルタ、すなわちＳＡＷフィルタ４２０-１、ＳＡＷフィルタ４２０-２、ＳＡＷフィルタ４２０-３、ＳＡＷフィルタ４２０-４、ＳＡＷフィルタ４２０-５、ＳＡＷフィルタ４２０-６、ＳＡＷフィルタ４２０-７、及びＳＡＷフィルタ４２０-８と、ＤＰ６Ｔスイッチ４３０と、ＤＰ８Ｔスイッチ４４０とを含む。また、各ＳＡＷフィルタの出力ポートに対応するインデックスは、該当ＳＡＷフィルタで使用される周波数帯域の周波数帯域インデックスを表し、周波数帯域インデックスについてその具体的な説明を省略する。
【００５０】
図３で説明したように、図４のＦＥＭ２１５は、臨界周波数帯域減衰要求値と臨界アイソレーション要求値を満たすために、ＳＡＷフィルタの前後にＳＰｎＴスイッチとＤＰｎＴスイッチが接続されるタイプで実現される。すなわち、ＳＡＷフィルタ４２０-２、ＳＡＷフィルタ４２０-３、及びＳＡＷフィルタ４２０-４は、ＳＰ８Ｔスイッチ４１０及びＤＰ６Ｔスイッチ４３０に接続され、ＳＡＷフィルタ４２０-２、ＳＡＷフィルタ４２０-３、及びＳＡＷフィルタ４２０-４の出力信号は、ＤＰ６Ｔスイッチ４３０を通じて信号受信装置で要求される形態で統合される。ここで、上記の統合形態は、制御器２１７の制御により決定される。すなわち、ＳＡＷフィルタ４２０-５、ＳＡＷフィルタ４２０-６、ＳＡＷフィルタ４２０-７、及びＳＡＷフィルタ４２０-８は、ＳＰ８Ｔスイッチ４１０及びＤＰ８Ｔスイッチ４４０に接続され、ＳＡＷフィルタ４２０-５、ＳＡＷフィルタ４２０-６、ＳＡＷフィルタ４２０-７、及びＳＡＷフィルタ４２０-８の出力信号は、ＤＰ８Ｔスイッチ４４０を通じて信号受信装置で要求される形態で統合される。この要求形態は、制御器２１７の制御によって決定される。ＳＡＷフィルタ４２０-１の出力信号は、ＤＰｎＴスイッチを通過せずにそのまま出力される。
【００５１】
ＳＡＷフィルタ４２０-１の出力信号は、高周波帯域(High  frequency  Band：ＨＢ)信号として出力され、ＤＰ６Ｔスイッチ４３０の出力信号は中周波帯域(Middle  frequency  Band：ＭＢ)信号として出力され、ＤＰ８Ｔスイッチ４４０の出力信号は低い周波数帯域(Low  frequency  Band：ＬＢ)信号として出力される。すなわち、図４に示すようなＦＥＭ２１５は、３個の出力ポート、すなわちＬＢポート、ＭＢポート、及びＨＢポートを有する。ここで、ＬＢは第１の臨界周波数帯域未満の周波数帯域を表し、ＭＢは第１の臨界周波数帯域以上第２の臨界周波数帯域未満の周波数帯域を表し、ＨＢは第２の臨界周波数帯域以上の周波数帯域を表す。
【００５２】
また、図４において、ＤＰ６Ｔスイッチ４３０とＤＰ８Ｔスイッチ４４０を使用した理由は、ＳＡＷフィルタ４２０-２、ＳＡＷフィルタ４２０-３、ＳＡＷフィルタ４２０-４、ＳＡＷフィルタ４２０-５、ＳＡＷフィルタ４２０-６、ＳＡＷフィルタ４２０-７、及びＳＡＷフィルタ４２０-８の出力信号がバランス信号であるためである。一方、ＳＡＷフィルタ４２０-２、ＳＡＷフィルタ４２０-３、ＳＡＷフィルタ４２０-４、ＳＡＷフィルタ４２０-５、ＳＡＷフィルタ４２０-６、ＳＡＷフィルタ４２０-７、及びＳＡＷフィルタ４２０-８の出力信号がシングル信号である場合、ＤＰ６Ｔスイッチ４３０とＤＰ８Ｔスイッチ４４０は、各々ＳＰｎＴスイッチに変更することができる。これに関しては、図７を参照して具体的に後述するので、ここでは、その詳細な説明を省略する。
【００５３】
したがって、ＦＥＭ２１５が図４で説明したように実現される場合、ＳＡＷフィルタの前後でアイソレーション特性が獲得されるため、臨界周波数帯域減衰要求値と臨界アイソレーション要求値を満足させる形態でＦＥＭ２１５を実現することが可能である。
【００５４】
図５は、図２に示したＦＥＭ２１５の内部構成のもう一つの例を示す。
図５を参照すると、ＦＥＭ２１５は、ＳＰＤＴ(Single-Pole  Double  Throw)スイッチ５１０と、ＳＰ４Ｔスイッチ５２０と、ＳＰ４Ｔスイッチ５３０と、８個のＳＡＷフィルタ、すなわちＳＡＷフィルタ５４０-１、ＳＡＷフィルタ５４０-２、ＳＡＷフィルタ５４０-３、ＳＡＷフィルタ５４０-４、ＳＡＷフィルタ５４０-５、ＳＡＷフィルタ５４０-６、ＳＡＷフィルタ５４０-７、及びＳＡＷフィルタ５４０-８と、コンバイナ５５０とを含む。したがって、ＦＥＭ２１５の出力ポートは、１個である。また、各ＳＡＷフィルタの出力ポートに対応するインデックスは、該当ＳＡＷフィルタで使用される周波数帯域の周波数帯域インデックスを表し、ここでは、周波数帯域インデックスに関する具体的な説明を省略する。
【００５５】
図５のＦＥＭ２１５は、図３及び図４の説明と異なり、臨界周波数帯域減衰要求値と臨界アイソレーション要求値を満たすために、比較的高いアイソレーションを獲得できるＳＰＤＴスイッチとＳＰｎＴスイッチがＳＡＷフィルタの前に接続されるタイプで実現される。ここで、ＳＰＤＴスイッチは、比較的低挿入損失(low  Insertion  Loss：ＩＬ)を有する。すなわち、無線通信システムにおいて、現在まで提案されているＳＰｎＴスイッチのうち、比較的高いアイソレーションを獲得できるスイッチはＳＰ４Ｔスイッチであるが、このＳＰ４Ｔスイッチは４個のポートのみをサポートするので、図５ではＳＰＤＴスイッチを使用する。
【００５６】
したがって、ＳＡＷフィルタ５４０-１、ＳＡＷフィルタ５４０-２、ＳＡＷフィルタ５４０-３、及びＳＡＷフィルタ５４０-４は、ＳＰ４Ｔスイッチ５２０及びコンバイナ５５０に接続され、ＳＡＷフィルタ５４０-１、ＳＡＷフィルタ５４０-２、ＳＡＷフィルタ５４０-３、及びＳＡＷフィルタ５４０-４の出力信号は、それぞれコンバイナ５５０を通じて信号受信装置で要求される形態で統合される。この要求される形態は、制御器２１７の制御により決定される。
【００５７】
また、ＳＡＷフィルタ５４０-５、ＳＡＷフィルタ５４０-６、ＳＡＷフィルタ５４０-７、及びＳＡＷフィルタ５４０-８は、ＳＰ４Ｔスイッチ５３０及びコンバイナ５５０に接続され、ＳＡＷフィルタ５４０-５、ＳＡＷフィルタ５４０-６、ＳＡＷフィルタ５４０-７、及びＳＡＷフィルタ５４０-８の出力信号は、各々コンバイナ５５０を通じて信号受信装置で要求される形態で統合される。この要求される形態は、制御器２１７の制御によって決定される。
【００５８】
したがって、ＦＥＭ２１５が図５で説明したように実現される場合、アイソレーション特性がＳＡＷフィルタの前で獲得されるため、ＦＥＭ２１５は、臨界周波数帯域減衰要求値と臨界アイソレーション要求値を満たす形態で実現されることが可能である。
【００５９】
図６は、図２に示したＦＥＭ２１５の内部構成のもう一つの例を示す。
図６を参照すると、ＦＥＭ２１５は、ＳＰＤＴスイッチ６１０と、ＳＰ４Ｔスイッチ６２０と、ＳＰ４Ｔスイッチ６３０と、８個のＳＡＷフィルタ、すなわちＳＡＷフィルタ６４０-１、ＳＡＷフィルタ６４０-２、ＳＡＷフィルタ６４０-３、ＳＡＷフィルタ６４０-４、ＳＡＷフィルタ６４０-５、ＳＡＷフィルタ６４０-６、ＳＡＷフィルタ６４０-７、及びＳＡＷフィルタ６４０-８と、コンバイナ６５０と、コンバイナ６６０とを含む。また、各ＳＡＷフィルタの出力ポートに対応するインデックスは、該当ＳＡＷフィルタで使用される周波数帯域の周波数帯域インデックスを表し、この周波数帯域インデックスの詳細な説明は省略する。
【００６０】
図６のＦＥＭ２１５は、図５で説明したように、臨界周波数帯域減衰要求値と臨界アイソレーション要求値を満たすために、比較的高いアイソレーションを確保できるＳＰＤＴスイッチとＳＰｎＴスイッチがＳＡＷフィルタの前に接続されるタイプで実現される。
【００６１】
したがって、ＳＡＷフィルタ６４０-２、ＳＡＷフィルタ６４０-３、及びＳＡＷフィルタ６４０-４は、ＳＰ４Ｔスイッチ６２０及びコンバイナ６５０に接続され、ＳＡＷフィルタ６４０-２、ＳＡＷフィルタ６４０-３、及びＳＡＷフィルタ６４０-４の出力信号は、各々コンバイナ６５０を通じて信号受信装置で要求する形態で統合される。ここで、上記要求形態は、制御器２１７の制御により決定される。
【００６２】
また、ＳＡＷフィルタ６４０-５、ＳＡＷフィルタ６４０-６、ＳＡＷフィルタ６４０-７、及びＳＡＷフィルタ６４０-８は、ＳＰ４Ｔスイッチ６３０に接続され、ＳＡＷフィルタ６４０-５、ＳＡＷフィルタ６４０-６、ＳＡＷフィルタ６４０-７、及びＳＡＷフィルタ６４０-８の出力信号は、各々コンバイナ６６０を通じて信号受信装置で要求される形態で統合される。ここで、上記要求形態は、制御器２１７の制御により決定される。
【００６３】
ＳＡＷフィルタ６４０-１の出力信号は、コンバイナを介することなく、そのまま出力される。
【００６４】
ＳＡＷフィルタ６４０-１の出力信号はＨＢ信号として出力され、コンバイナ６５０の出力信号はＭＢ信号として出力され、コンバイナ６６０の出力信号はＬＢ信号として出力される。すなわち、図６に示すようなＦＥＭ２１５は、３個の出力ポート、すなわちＬＢポート、ＭＢポート、及びＨＢポートを有する。
【００６５】
したがって、ＦＥＭ２１５が図６で説明したように実現される場合、ＳＡＷフィルタの前でアイソレーション特性が獲得されるため、ＦＥＭ２１５は、臨界周波数帯域減衰要求値と臨界アイソレーション要求値を満たす形態で実現されることが可能である。
【００６６】
図７は、図２に示したＦＥＭ２１５の内部構成のもう一つの例を示す。
図７を参照すると、ＦＥＭ２１５は、ＳＰ８Ｔスイッチ７１０と、８個のＳＡＷフィルタ、すなわちＳＡＷフィルタ７２０-１、ＳＡＷフィルタ７２０-２、ＳＡＷフィルタ７２０-３、ＳＡＷフィルタ７２０-４、ＳＡＷフィルタ７２０-５、ＳＡＷフィルタ７２０-６、ＳＡＷフィルタ７２０-７、及びＳＡＷフィルタ７２０-８と、ＳＰ４Ｔスイッチ７３０と、ＳＰ４Ｔスイッチ７４０とを含む。また、各ＳＡＷフィルタの出力ポートに対応するインデックスは、該当ＳＡＷフィルタで使用される周波数帯域の周波数帯域インデックスを表し、この周波数帯域インデックスの具体的な説明は省略する。
【００６７】
図７のＦＥＭ２１５は、臨界周波数帯域減衰要求値と臨界アイソレーション要求値を満たすために、ＳＡＷフィルタの前後にＳＰｎＴスイッチが接続されるタイプで実現される。すなわち、ＳＡＷフィルタ７２０-２、ＳＡＷフィルタ７２０-３、及びＳＡＷフィルタ７２０-４は、ＳＰ８Ｔスイッチ７１０及びＳＰ４Ｔスイッチ７３０に接続され、ＳＡＷフィルタ７２０-２、ＳＡＷフィルタ７２０-３、及びＳＡＷフィルタ７２０-４の出力信号は、各々ＳＰ４Ｔスイッチ７３０を通じて信号受信装置で要求される形態で統合される。ここで、上記要求形態は、制御器２１７の制御により決定される。また、ＳＡＷフィルタ７２０-５、ＳＡＷフィルタ７２０-６、ＳＡＷフィルタ７２０-７、及びＳＡＷフィルタ７２０-８は、ＳＰ８Ｔスイッチ７１０及びＳＰ４Ｔスイッチ７４０に接続され、ＳＡＷフィルタ７２０-５、ＳＡＷフィルタ７２０-６、ＳＡＷフィルタ７２０-７、及びＳＡＷフィルタ７２０-８の出力信号は、各々ＳＰ４Ｔスイッチ７４０を通じて信号受信装置で要求される形態で統合される。ここで、上記要求形態は、制御器２１７の制御により決定される。ＳＡＷフィルタ７２０-１の出力信号は、ＳＰ４Ｔスイッチを介することなくそのまま出力される。
【００６８】
ＳＡＷフィルタ７２０-１の出力信号はＨＢ信号として出力され、ＳＰ４Ｔスイッチ７３０の出力信号はＭＢ信号として出力され、ＳＰ４Ｔスイッチ７４０の出力信号は、ＬＢ信号として出力される。すなわち、図７に示すようなＦＥＭ２１５は、３個の出力ポート、すなわちＬＢポート、ＭＢポート、及びＨＢポートを有する。
また、図７でＳＰ４Ｔスイッチ７３０とＳＰ４Ｔスイッチ７４０が使用される理由は、ＳＡＷフィルタ７２０-２、ＳＡＷフィルタ７２０-３、ＳＡＷフィルタ７２０-４、ＳＡＷフィルタ７２０-５、ＳＡＷフィルタ７２０-６、ＳＡＷフィルタ７２０-７、及びＳＡＷフィルタ７２０-８の出力信号が各々シングル信号であるためである。これと異なり、ＳＡＷフィルタ７２０-２、ＳＡＷフィルタ７２０-３、ＳＡＷフィルタ７２０-４、ＳＡＷフィルタ７２０-５、ＳＡＷフィルタ７２０-６、ＳＡＷフィルタ７２０-７、及びＳＡＷフィルタ７２０-８の出力信号がバランス信号である場合、図１に示したように、ＳＰ４Ｔスイッチ７３０とＳＰ４Ｔスイッチ７４０の各々をＤＰｎＴスイッチに変更することができることは、当該技術分野では公知の事実である。
【００６９】
したがって、ＦＥＭ２１５が図７で説明したように実現される場合、ＳＡＷフィルタの前後でアイソレーション特性が獲得されるため、ＦＥＭ２１５は、臨界周波数帯域減衰要求値と臨界アイソレーション要求値を満たす形態で実現されることが可能である。
【００７０】
図８は、図２に示したＦＥＭ２１５の内部構成のもう一つの例を示す。
図８を参照すると、ＦＥＭ２１５は、ＳＰ８Ｔスイッチ８１０と、８個のＳＡＷフィルタ、すなわちＳＡＷフィルタ８２０-１、ＳＡＷフィルタ８２０-２、ＳＡＷフィルタ８２０-３、ＳＡＷフィルタ８２０-４、ＳＡＷフィルタ８２０-５、ＳＡＷフィルタ８２０-６、ＳＡＷフィルタ８２０-７、及びＳＡＷフィルタ８２０-８と、ＳＰ８Ｔスイッチ８３０とを含む。したがって、ＦＥＭ２１５の出力ポートは、１個である。また、各ＳＡＷフィルタの出力ポートに対応するインデックスは、該当ＳＡＷフィルタで使用される周波数帯域の周波数帯域インデックスを表し、ここでは、周波数帯域インデックスに関する具体的な説明を省略する。
【００７１】
図８のＦＥＭ２１５は、臨界周波数帯域減衰要求値と臨界アイソレーション要求値を満たすために、ＳＡＷフィルタの前後にＳＰｎＴスイッチが接続されるタイプで実現される。すなわち、ＳＡＷフィルタ８２０-１、ＳＡＷフィルタ８８２０-２、ＳＡＷフィルタ８２０-３、ＳＡＷフィルタ８２０-４、ＳＡＷフィルタ８２０-５、ＳＡＷフィルタ８２０-６、ＳＡＷフィルタ８２０-７、及びＳＡＷフィルタ８２０-８は、各々ＳＰ８Ｔスイッチ８１０及びＳＰ８Ｔスイッチ８３０に接続される。ＳＡＷフィルタ８２０-１、ＳＡＷフィルタ８２０-２、ＳＡＷフィルタ８２０-３、ＳＡＷフィルタ８２０-４、ＳＡＷフィルタ８２０-５、ＳＡＷフィルタ８２０-６、ＳＡＷフィルタ８２０-７、及びＳＡＷフィルタ８２０-８の出力信号は、各々ＳＰ８Ｔスイッチ８３０を通じて信号受信装置で要求される形態で統合される。ここで、上記要求形態は、制御器２１７の制御によって決定される。
【００７２】
また、図８において、ＳＰ８Ｔスイッチ８３０が使用される理由は、ＳＡＷフィルタ８２０-１、ＳＡＷフィルタ８２０-２、ＳＡＷフィルタ８２０-３、ＳＡＷフィルタ８２０-４、ＳＡＷフィルタ８２０-５、ＳＡＷフィルタ８２０-６、ＳＡＷフィルタ８２０-７、及びＳＡＷフィルタ８２０-８の出力信号が各々シングル信号であるためである。これとは違い、ＳＡＷフィルタ８２０-１、ＳＡＷフィルタ８２０-２、ＳＡＷフィルタ８２０-３、ＳＡＷフィルタ８２０-４、ＳＡＷフィルタ８２０-５、ＳＡＷフィルタ８２０-６、ＳＡＷフィルタ８２０-７、及びＳＡＷフィルタ８２０-８の出力信号がバランス信号である場合、図３に示したように、ＳＰ８Ｔスイッチ８３０をＤＰｎＴスイッチに変更できることは、当該技術分野において公知の技術である。
【００７３】
図９は、図２に示した制御器２１７の動作手順を示すフローチャートである。
図９を参照すると、制御器２１７は、初期にはデフォルト(default)に設定されているタイプでＦＥＭ２１５に含まれるＳＡＷフィルタから出力される信号を統合するようにＦＥＭ２１５を制御し(ステップ９１１)、信号受信装置で使用される周波数帯域を選択する必要性があることを検出する(ステップ９１３)。ここで、信号受信装置で使用される周波数帯域を選択の必要性が検出される場合、例えば、モデムが初期化される場合、モードがモデムで使用される場合、あるいはマルチキャリアが使用される場合が多様に存在する。ここでは、その具体的な説明を省略する。
【００７４】
したがって、制御器２１７は、選択される周波数帯域を示す帯域選択信号を生成し(ステップ９１５)、この帯域選択信号をＦＥＭ２１５に送信する(ステップ９１７)。このように、帯域選択信号を受信した後、ＦＥＭ２１５は、帯域選択信号に基づいてＦＥＭ２１５に含まれるＳＡＷフィルタの出力信号を統合して出力する。
【００７５】
図１０は、図２に示したＦＥＭ２１５の動作手順を概略的に示すフローチャートである。
図１０を参照すると、ＦＥＭ２１５は、制御器２１７から周波数帯域選択信号を受信する(ステップ１０１１)。すると、ＦＥＭ２１５は、含まれるＳＡＷフィルタ、スイッチ、及び/又はコンバイナ間の接続を制御して周波数帯域選択信号に基づいて周波数帯域を生成する(ステップ１０１３)。ＦＥＭ２１５が周波数帯域を生成する動作は、上記の図３乃至図８を参照して上記した方式で遂行されるので、ここでは、その詳細な説明を省略する。
【００７６】
以上、本発明の詳細な説明においては具体的な実施形態に関して説明したが、特許請求の範囲を外れない限り、様々な変更が可能であることは、当該技術分野における通常の知識を持つ者には明らかである。したがって、本発明の範囲は、前述の実施形態に限定されるものではなく、特許請求の範囲の記載及びこれと均等なものに基づいて定められるべきである。
【図１】
2014050098.tif 000003
【図２】
2014050098.tif 000004
【図３】
2014050098.tif 000005
【図４】
2014050098.tif 000006
【図５】
2014050098.tif 000007
【図６】
2014050098.tif 000008
【図７】
2014050098.tif 000009
【図８】
2014050098.tif 000010
【図９】
2014050098.tif 000011
【図１０】
2014050098.tif 000012
【手続補正書】
【提出日】平成25年6月13日(2013.6.13)
【手続補正１】
【補正対象書類名】特許請求の範囲
【補正対象項目名】全文
【補正方法】変更
【補正の内容】
【特許請求の範囲】
【請求項１】
周波数帯域を選択するスイッチング回路であって、
少なくとも一つの表面弾性波（Surface Acoustic Wave：ＳＡＷ）フィルタと、
前記少なくとも一つのＳＡＷフィルタの入力ポートに接続するＳＰｎＴ（single-pole n throw）スイッチと、
前記少なくとも一つのＳＡＷフィルタの出力ポートに接続するＤＰｎＴ（dual-pole n throw）スイッチと、を含むことを特徴とするスイッチング回路。
【請求項２】
ｎは整数であることを特徴とする請求項１に記載のスイッチング回路。
【請求項３】
周波数帯域を選択するスイッチング回路であって、
複数個の表面弾性波（Surface Acoustic Wave：ＳＡＷ）フィルタと、
前記複数個のＳＡＷフィルタそれぞれの入力ポートに接続するＳＰｎＴ（single-pole n throw）スイッチと、
前記複数個のＳＡＷフィルタのうち少なくとも一つの出力ポートに接続する第１のＤＰｎＴ（dual-pole n throw）スイッチと、
前記複数個のＳＡＷフィルタのうち、前記第１のＤＰｎＴスイッチに接続した前記少なくとも一つのＳＡＷフィルタを除外した残りのＳＡＷフィルタのうち、少なくとも一つの他の出力ポートに接続する第２のＤＰｎＴスイッチと、を含むことを特徴とするスイッチング回路。
【請求項４】
ｎは整数であることを特徴とする請求項３に記載のスイッチング回路。
【請求項５】
前記第１のＤＰｎＴスイッチの出力信号は、第１の周波数帯域信号として出力され、前記第２のＤＰｎＴスイッチの出力信号は、第２の周波数帯域信号として出力されることを特徴とする請求項３に記載のスイッチング回路。
【請求項６】
前記複数個のＳＡＷフィルタのうち、前記第１のＤＰｎＴスイッチ及び第２のＤＰｎＴスイッチと接続されないＳＡＷフィルタの出力信号は、第３の周波数帯域信号として出力されることを特徴とする請求項５に記載のスイッチング回路。
【請求項７】
前記複数個のＳＡＷフィルタそれぞれの出力信号は、バランス（balance）信号であることを特徴とする請求項３に記載のスイッチング回路。
【請求項８】
周波数帯域を選択するスイッチング回路であって、
複数個の表面弾性波（Surface Acoustic Wave：ＳＡＷ）フィルタと、
前記複数個のＳＡＷフィルタそれぞれの入力ポートに接続する第１のＳＰｎＴ（single-pole n throw）スイッチと、
前記複数個のＳＡＷフィルタのうち少なくとも一つの出力ポートに接続する第２のＳＰｎＴスイッチと、
前記複数個のＳＡＷフィルタのうち、前記第２のＳＰｎＴスイッチに接続した前記少なくとも一つのＳＡＷフィルタを除外した残りのＳＡＷフィルタのうち少なくとも一つの出力ポートに接続する第３のＳＰｎＴスイッチと、を含むことを特徴とするスイッチング回路。
【請求項９】
ｎは整数であることを特徴とする請求項８に記載のスイッチング回路。
【請求項１０】
前記第２のＳＰｎＴスイッチの出力信号は、第１の周波数帯域信号として出力され、前記第３のＳＰｎＴスイッチの出力信号は、第２の周波数帯域信号として出力されることを特徴とする請求項８に記載のスイッチング回路。
【請求項１１】
前記複数個のＳＡＷフィルタのうち、前記第２のＤＰｎＴスイッチ及び第３のＤＰｎＴスイッチと接続されないＳＡＷフィルタの出力信号は、第３の周波数帯域信号として出力されることを特徴とする請求項１０に記載のスイッチング回路。
【請求項１２】
前記複数個のＳＡＷフィルタそれぞれの出力信号は、シングル（single）信号であることを特徴とする請求項８に記載のスイッチング回路。
【請求項１３】
周波数帯域を選択するスイッチング回路であって、
複数個の表面弾性波（Surface Acoustic Wave：ＳＡＷ）フィルタと、
前記複数個のＳＡＷフィルタのうち少なくとも一つの入力ポートに接続する第１のＳＰｎＴ（single-pole n throw）スイッチと、
前記複数個のＳＡＷフィルタのうち、前記第１のＳＰｎＴスイッチに接続した少なくとも一つのＳＡＷフィルタを除外した残りのＳＡＷフィルタのうち少なくとも一つの入力ポートに接続する第２のＳＰｎＴスイッチと、
前記第１のＳＰｎＴスイッチの入力ポートと第２のＳＰｎＴスイッチの入力ポートに接続するＳＰＤＴ（single-pole double throw）スイッチと、
前記複数個のＳＡＷフィルタそれぞれの出力ポートに接続するコンバイナと、を含むことを特徴とするスイッチング回路。
【請求項１４】
ｎは整数であることを特徴とする請求項１３に記載のスイッチング回路。
【請求項１５】
前記複数個のＳＡＷフィルタそれぞれの出力信号は、バランス（balance）信号であることを特徴とする請求項１３に記載のスイッチング回路。
【請求項１６】
周波数帯域を選択するスイッチング回路であって、
複数個の表面弾性波（Surface Acoustic Wave：ＳＡＷ）フィルタと、
前記複数個のＳＡＷフィルタのうち少なくとも一つの入力ポートに接続する第１のＳＰｎＴ（single-pole n throw）スイッチと、
前記複数個のＳＡＷフィルタのうち、前記第１のＳＰｎＴスイッチに接続した前記少なくとも一つのＳＡＷフィルタを除外した残りのＳＡＷフィルタのうち少なくとも一つの入力ポートに接続する第２のＳＰｎＴスイッチと、
前記第１のＳＰｎＴスイッチの入力ポートと第２のＳＰｎＴスイッチの入力ポートに接続するＳＰＤＴ（single-pole double throw）スイッチと、
前記複数個のＳＡＷフィルタのうち少なくとも一つの出力ポートに接続する第１のコンバイナと、
前記複数個のＳＡＷフィルタのうち、前記第１のコンバイナに接続した前記少なくとも一つのＳＡＷフィルタを除外したＳＡＷフィルタのうち少なくとも一つの出力ポートに接続する第２のコンバイナと、を含むことを特徴とするスイッチング回路。
【請求項１７】
ｎは整数であることを特徴とする請求項１６に記載のスイッチング回路。
【請求項１８】
前記複数個のＳＡＷフィルタそれぞれの出力信号は、バランス（balance）信号であることを特徴とする請求項１６に記載のスイッチング回路。
【請求項１９】
前記第１のコンバイナの出力信号は、第１の周波数帯域信号として出力され、前記第２のコンバイナの出力信号は、第２の周波数帯域信号として出力されることを特徴とする請求項１６に記載のスイッチング回路。
【請求項２０】
前記複数個のＳＡＷフィルタのうち、前記第１のコンバイナ及び第２のコンバイナと接続されないＳＡＷフィルタの出力信号は、第３の周波数帯域信号として出力されることを特徴とする請求項１９に記載のスイッチング回路。
【請求項２１】
周波数帯域を選択するスイッチング回路であって、
複数個の表面弾性波（Surface Acoustic Wave：ＳＡＷ）フィルタと、
前記複数個のＳＡＷフィルタそれぞれの入力ポートに接続する第１のＳＰｎＴ（single-pole n throw）スイッチと、
前記複数個のＳＡＷフィルタそれぞれの出力ポートに接続する第２のＳＰｎＴスイッチと、を含むことを特徴とするスイッチング回路。
【請求項２２】
ｎは整数であることを特徴とする請求項２１に記載のスイッチング回路。
【請求項２３】
周波数帯域を選択する無線周波数（Radio Frequency：ＲＦ）ハードウェアであって、
複数個の表面弾性波（Surface Acoustic Wave：ＳＡＷ）フィルタと、
前記複数個のＳＡＷフィルタそれぞれの入力ポートに接続するＳＰｎＴ（single-pole n throw）スイッチと、
前記複数個のＳＡＷフィルタそれぞれの出力ポートに接続するＤＰｎＴ（dual-pole n throw）スイッチと、を含むことを特徴とするＲＦハードウェア。
【請求項２４】
ｎは整数であることを特徴とする請求項２３に記載のＲＦハードウェア。
【請求項２５】
周波数帯域を選択するフロントエンドモジュール（Front End Module：ＦＥＭ）であって、
複数個の表面弾性波（Surface Acoustic Wave：ＳＡＷ）フィルタと、
前記複数個のＳＡＷフィルタそれぞれの入力ポートに接続するＳＰｎＴ（single-pole n throw）スイッチと、
前記複数個のＳＡＷフィルタそれぞれの出力ポートに接続するＤＰｎＴ（dual-pole n throw）スイッチと、を含むことを特徴とするＦＥＭ。
【請求項２６】
ｎは整数であることを特徴とする請求項２５に記載のＦＥＭ。
【請求項２７】
周波数帯域を選択するフロントエンドモジュール（Front End Module：ＦＥＭ）であって、
複数個の表面弾性波（Surface Acoustic Wave：ＳＡＷ）フィルタと、
前記複数個のＳＡＷフィルタそれぞれの入力ポートに接続するＳＰｎＴ（single-pole n throw）スイッチと、
前記複数個のＳＡＷフィルタのうち少なくとも一つの出力ポートに接続する第１のＤＰｎＴ（dual-pole n throw）スイッチと、
前記複数個のＳＡＷフィルタのうち、前記第１のＤＰｎＴスイッチに接続した前記少なくとも一つのＳＡＷフィルタを除外した残りのＳＡＷフィルタのうち少なくとも一つの出力ポートに接続する第２のＤＰｎＴスイッチと、を含むことを特徴とするＦＥＭ。
【請求項２８】
ｎは整数であることを特徴とする請求項２７に記載のＦＥＭ。
【請求項２９】
前記第１のＤＰｎＴスイッチの出力信号は、第１の周波数帯域信号として出力され、前記第２のＤＰｎＴスイッチの出力信号は、第２の周波数帯域信号として出力されることを特徴とする請求項２７に記載のＦＥＭ。
【請求項３０】
前記複数個のＳＡＷフィルタのうち、前記第１のＤＰｎＴスイッチ及び第２のＤＰｎＴスイッチと接続されないＳＡＷフィルタの出力信号は、第３の周波数帯域信号として出力されることを特徴とする請求項２９に記載のＦＥＭ。
【請求項３１】
前記ｎ個のＳＡＷフィルタそれぞれの出力信号は、バランス（balance）信号であることを特徴とする請求項２４に記載のＦＥＭ。
【請求項３２】
周波数帯域を選択するフロントエンドモジュール（Front End Module：ＦＥＭ）であって、
複数個の表面弾性波（Surface Acoustic Wave：ＳＡＷ）フィルタと、
前記複数個のＳＡＷフィルタそれぞれの入力ポートに接続する第１のＳＰｎＴ（single-pole n throw）スイッチと、
前記複数個のＳＡＷフィルタのうち少なくとも一つの出力ポートに接続する第２のＳＰｎＴスイッチと、
前記複数個のＳＡＷフィルタのうち、前記第２のＳＰｎＴスイッチに接続した前記少なくとも一つのＳＡＷフィルタを除外した残りのＳＡＷフィルタのうち少なくとも一つの出力ポートに接続する第３のＳＰｎＴスイッチと、を含むことを特徴とするＦＥＭ。
【請求項３３】
ｎは整数であることを特徴とする請求項３２に記載のＦＥＭ。
【請求項３４】
前記第２のＳＰｎＴスイッチの出力信号は、第１の周波数帯域信号として出力され、前記第３のＳＰｎＴスイッチの出力信号は、第２の周波数帯域信号として出力されることを特徴とする請求項３２に記載のＦＥＭ。
【請求項３５】
前記複数個のＳＡＷフィルタのうち、前記第２のＤＰｎＴスイッチ及び第３のＤＰｎＴスイッチと接続されないＳＡＷフィルタの出力信号は、第３の周波数帯域信号として出力されることを特徴とする請求項３４に記載のＦＥＭ。
【請求項３６】
前記複数個のＳＡＷフィルタそれぞれの出力信号は、シングル（single）信号であることを特徴とする請求項３２に記載のＦＥＭ。
【請求項３７】
周波数帯域を選択するフロントエンドモジュール（Front End Module：ＦＥＭ）であって、
複数個の表面弾性波（Surface Acoustic Wave：ＳＡＷ）フィルタと、
前記複数個のＳＡＷフィルタのうち少なくとも一つの入力ポートに接続する第１のＳＰｎＴ（single-pole n throw）スイッチと、
前記複数個のＳＡＷフィルタのうち、前記第１のＳＰｎＴスイッチに接続した前記少なくとも一つのＳＡＷフィルタを除外した残りのＳＡＷフィルタのうち少なくとも一つの入力ポートに接続する第２のＳＰｎＴスイッチと、
前記第１のＳＰｎＴスイッチの入力ポートと第２のＳＰｎＴスイッチの入力ポートに接続するＳＰＤＴ（single-pole double throw）スイッチと、
前記複数個のＳＡＷフィルタそれぞれの出力ポートに接続するコンバイナと、を含むことを特徴とするＦＥＭ。
【請求項３８】
ｎは整数であることを特徴とする請求項３７に記載のＦＥＭ。
【請求項３９】
前記複数個のＳＡＷフィルタそれぞれの出力信号は、バランス（balance）信号であることを特徴とする請求項３７に記載のＦＥＭ。
【請求項４０】
周波数帯域を選択するフロントエンドモジュール（Front End Module：ＦＥＭ）であって、
複数個の表面弾性波（Surface Acoustic Wave：ＳＡＷ）フィルタと、
前記複数個のＳＡＷフィルタのうち少なくとも一つの入力ポートに接続する第１のＳＰｎＴ（single-pole n throw）スイッチと、
前記複数個のＳＡＷフィルタのうち、前記第１のＳＰｎＴスイッチに接続した前記少なくとも一つのＳＡＷフィルタを除外した残りのＳＡＷフィルタのうち少なくとも一つの入力ポートに接続する第２のＳＰｎＴスイッチと、
前記第１のＳＰｎＴスイッチの入力ポートと第２のＳＰｎＴスイッチの入力ポートに接続するＳＰＤＴ（single-pole double throw）スイッチと、
前記複数個のＳＡＷフィルタのうち少なくとも一つの出力ポートに接続する第１のコンバイナと、
前記複数個のＳＡＷフィルタのうち、前記第１のコンバイナに接続した前記少なくとも一つのＳＡＷフィルタを除外したＳＡＷフィルタのうち少なくとも一つの出力ポートに接続する第２のコンバイナと、を含むことを特徴とするＦＥＭ。
【請求項４１】
ｎは整数であることを特徴とする請求項４０に記載のＦＥＭ。
【請求項４２】
前記複数個のＳＡＷフィルタそれぞれの出力信号は、バランス（balance）信号であることを特徴とする請求項４０に記載のＦＥＭ。
【請求項４３】
前記第１のコンバイナの出力信号は、第１の周波数帯域信号として出力され、前記第２のコンバイナの出力信号は、第２の周波数帯域信号として出力されることを特徴とする請求項４０に記載のＦＥＭ。
【請求項４４】
前記複数個のＳＡＷフィルタのうち、前記第１のコンバイナ及び第２のコンバイナと接続されないＳＡＷフィルタの出力信号は、第３の周波数帯域信号として出力されることを特徴とする請求項４３に記載のＦＥＭ。
【請求項４５】
周波数帯域を選択するフロントエンドモジュール（Front End Module：ＦＥＭ）であって、
複数個の表面弾性波（Surface Acoustic Wave：ＳＡＷ）フィルタと、
前記複数個のＳＡＷフィルタそれぞれの入力ポートに接続する第１のＳＰｎＴ（single-pole n throw）スイッチと、
前記複数個のＳＡＷフィルタそれぞれの出力ポートに接続する第２のＳＰｎＴスイッチと、を含むことを特徴とするＦＥＭ。
【請求項４６】
ｎは整数であることを特徴とする請求項４５に記載のＦＥＭ。
【請求項４７】
スイッチング回路が周波数帯域を選択する方法であって、
周波数帯域選択信号に対応するようにスイッチング回路が含む複数個の表面弾性波（Surface Acoustic Wave：ＳＡＷ）フィルタの出力信号のうち少なくとも一つを統合して出力するステップを含み、
前記周波数帯域選択信号に対応するようにスイッチング回路が含む複数個のＳＡＷフィルタの出力信号のうち少なくとも一つを統合して出力するステップは、
前記スイッチング回路が前記複数個のＳＡＷフィルタそれぞれの入力ポートに接続する第１のＳＰｎＴ（single-pole n throw）スイッチと、前記複数個のＳＡＷフィルタのうち少なくとも一つの出力ポートに接続する第２のＳＰｎＴスイッチと、前記複数個のＳＡＷフィルタのうち、前記第２のＳＰｎＴスイッチに接続したＳＡＷフィルタを除外した残りのＳＡＷフィルタのうち少なくとも一つの出力ポートに接続する第３のＳＰｎＴスイッチをさらに含む場合、前記第２のＳＰｎＴスイッチの出力信号を第１の周波数帯域信号として出力し、前記第３のＳＰｎＴスイッチの出力信号を第２の周波数帯域信号として出力し、前記ｎ個のＳＡＷフィルタのうち、前記第２のＤＰｎＴスイッチ及び第３のＤＰｎＴスイッチと接続されないＳＡＷフィルタの出力信号を第３の周波数帯域信号として出力するステップを含み、
前記複数個のＳＡＷフィルタそれぞれの出力信号は、シングル（single）信号であることを特徴とするスイッチング回路の周波数帯域選択方法。
【請求項４８】
スイッチング回路が周波数帯域を選択する方法であって、
周波数帯域選択信号に対応するようにスイッチング回路が含む複数個の表面弾性波（Surface Acoustic Wave：ＳＡＷ）フィルタの出力信号のうち少なくとも一つを統合して出力するステップを含み、
前記周波数帯域選択信号に対応するようにスイッチング回路が含む複数個のＳＡＷフィルタの出力信号のうち少なくとも一つを統合して出力するステップは、
前記スイッチング回路が前記複数個のＳＡＷフィルタのうち少なくとも一つの入力ポートに接続する第１のＳＰｎＴ（single-pole n throw）スイッチと、前記複数個のＳＡＷフィルタのうち、前記第１のＳＰｎＴスイッチに接続したＳＡＷフィルタを除外した残りのＳＡＷフィルタのうち少なくとも一つの入力ポートに接続する第２のＳＰｎＴスイッチと、前記第１のＳＰｎＴスイッチの入力ポートと第２のＳＰｎＴスイッチの入力ポートに接続するＳＰＤＴ（single-pole double throw）スイッチと、前記複数個のＳＡＷフィルタそれぞれの出力ポートに接続するコンバイナとを含む場合、前記コンバイナの出力信号を統合周波数帯域信号として出力するステップを含むことを特徴とするスイッチング回路の周波数帯域選択方法。
【請求項４９】
前記複数個のＳＡＷフィルタそれぞれの出力信号は、バランス（balance）信号であることを特徴とする請求項４８に記載のスイッチング回路の周波数帯域選択方法。
【請求項５０】
スイッチング回路が周波数帯域を選択する方法であって、
周波数帯域選択信号に対応するようにスイッチング回路が含む複数個の表面弾性波（Surface Acoustic Wave：ＳＡＷ）フィルタの出力信号のうち少なくとも一つを統合して出力するステップを含み、
前記周波数帯域選択信号に対応するようにスイッチング回路が含む複数個のＳＡＷフィルタの出力信号のうち少なくとも一つを統合して出力するステップは、
前記スイッチング回路が前記複数個のＳＡＷフィルタのうち少なくとも一つの入力ポートに接続する第１のＳＰｎＴ（single-pole n throw）スイッチと、前記複数個のＳＡＷフィルタのうち、前記第１のＳＰｎＴスイッチに接続した前記少なくとも一つのＳＡＷフィルタを除外した残りのＳＡＷフィルタのうち少なくとも一つの入力ポートに接続する第２のＳＰｎＴスイッチと、前記第１のＳＰｎＴスイッチの入力ポートと第２のＳＰｎＴスイッチの入力ポートに接続するＳＰＤＴ（single-pole double throw）スイッチと、前記複数個のＳＡＷフィルタのうち少なくとも一つの出力ポートに接続する第１のコンバイナと、前記複数個のＳＡＷフィルタのうち、前記第１のコンバイナに接続した前記少なくとも一つのＳＡＷフィルタを除外したＳＡＷフィルタのうち少なくとも一つの出力ポートに接続する第２のコンバイナを含む場合、前記第１のコンバイナの出力信号を第１の周波数帯域信号として出力し、前記第２のコンバイナの出力信号を第２の周波数帯域信号として出力し、前記複数個のＳＡＷフィルタのうち、前記第１のコンバイナ及び第２のコンバイナと接続されないＳＡＷフィルタの出力信号を第３の信号周波数帯域として出力するステップを含むことを特徴とするスイッチング回路の周波数帯域選択方法。
【請求項５１】
前記複数個のＳＡＷフィルタそれぞれの出力信号は、バランス（balance）信号であることを特徴とする請求項５０に記載のスイッチング回路の周波数帯域選択方法。
【請求項５２】
スイッチング回路が周波数帯域を選択する方法であって、
周波数帯域選択信号に対応するようにスイッチング回路が含む複数個の表面弾性波（Surface Acoustic Wave：ＳＡＷ）フィルタの出力信号のうち少なくとも一つを統合して出力するステップを含み、
前記周波数帯域選択信号に対応するようにスイッチング回路が含む複数個のＳＡＷフィルタの出力信号のうち少なくとも一つを統合して出力するステップは、
前記スイッチング回路が前記複数個のＳＡＷフィルタそれぞれの入力ポートに接続する第１のＳＰｎＴ（single-pole n throw）スイッチと、前記複数個のＳＡＷフィルタそれぞれの出力ポートに接続する第２のＳＰｎＴスイッチをさらに含む場合、前記第２のＳＰｎＴスイッチの出力信号を統合周波数帯域信号として出力するステップを含むことを特徴とするスイッチング回路の周波数帯域選択方法。
【請求項５３】
スイッチング回路が周波数帯域を選択する方法であって、
周波数帯域選択信号に対応するようにスイッチング回路が含むｎ個の表面弾性波（Surface Acoustic Wave：ＳＡＷ）フィルタの出力信号のうち少なくとも一つを統合して出力するステップを含み、
ｎは整数であることを特徴とするスイッチング回路の周波数帯域選択方法。